(57)【特許請求の範囲】
【請求項１】
印字媒体としてロール紙が使用され、サーマル印字ヘッドと紙送り兼用プラテンローラーとが備えられ、プリンタ本体と、このプリンタ本体を閉蓋するプリンタカバーと、からなる小型携帯プリンタにおいて、
上記プリンタ本体には、ロール紙を収容するロール紙受け台が形成され、上記ロール紙受け台には、複数の嵌合溝が形成されるとともに、この嵌合溝に嵌め込まれてロール紙受け台をロール紙幅に合わせた位置に仕切る仕切り板が備えられており、
上記ロール紙受け台に、このロール紙受け台に収容されるロール紙の軸と平行にガイド軸が取り付けられ、
上記仕切り板は、このガイド軸に挿通されて、ガイド軸の軸方向に移動自在に取り付けられ、且つガイド軸を軸心としてガイド軸の垂直方向に回転可能に取り付けられて回転することにより仕切り板が嵌合溝に嵌め込まれ或いは嵌合溝から抜脱され、
上記プリンタカバーを閉じた状態でロール紙受け台とプリンタカバーとの間において嵌合溝からの抜脱方向の動きが規制されたことを特徴とする小型携帯プリンタ。
【発明の詳細な説明】
【０００１】
【産業上の利用分野】
本発明は、幅寸法が異なる多種のロール紙を使用する小型携帯プリンタに関する。
【０００２】
【従来の技術】
従来の小型軽量型のプリンタに関する用紙幅調整については、印字する用紙幅寸法は予め一種類に定められていることが多く、また、幅方向寸法を変更できるものであっても、２乃至３種類程度に設定することは出来るが、任意の幅に調整することは出来ないガイド方式が大半であった。
【０００３】
また、用紙幅を細かく設定できるガイド方式であっても、用紙幅を設定するために用いられるガイドユニットをプリンタより一旦取り外す方式になされている。
【０００４】
さらに、特開平１０−１８１１３０号公報に開示された携帯型プリンタでは、携帯プリンタにおける横幅サイズの異なる多種のロール紙に対処できるように、携帯プリンタの本体ケースに収納凹部の内周面にロール紙の軸方向に複数個の嵌挿溝を設け、ロール紙の横幅サイズに合った位置に嵌挿溝にガイド板を嵌挿することにより、横幅サイズの異なる多種のロール紙をロール紙の軸方向に移動しない状態で保持するようにしたものであるが、ガイド板が取り外し可能であることから、ガイド板を紛失する可能性がある。
【０００５】
【発明が解決しようとする課題】
しかし、ロール紙の横幅位置を調整することができない場合は、ロール紙受け台と比べてかなり狭い紙幅のロール紙を使用したとき、プリンタ内で、印字ヘッドに対するロール紙の印字位置を決めることが出来ないので、ロール紙の異なった場所に印字してしまったり、ロール紙が左右方向に勝手に移動することによる印字蛇行が発生する。
【０００６】
また、特開平１０−１８１１３０号公報に開示された携帯型プリンタのように、ロール紙の横幅サイズに合った位置に嵌挿溝にガイド板を嵌挿するタイプであっても、ガイド板が取り外し可能に構成されているのでは、ガイド板を紛失するおそれがある。
【０００７】
本発明はこうした問題点を解決するためになされたもので、小型携帯プリンタにおいて、種々の紙幅のロール紙の位置合わせをする場合に、設定位置の変更が容易で、位置合わせのために使用する仕切り板が勝手に移動することがなく、紛失することもない小型携帯プリンタを提供することを目的とする。
【０００８】
【課題を解決するための手段】
上記の目的を達成するため、本発明は、印字媒体としてロール紙が使用され、サーマル印字ヘッドと紙送り兼用プラテンローラーとが備えられ、プリンタ本体と、このプリンタ本体を閉蓋するプリンタカバーと、からなる小型携帯プリンタにおいて、上記プリンタ本体には、ロール紙を収容するロール紙受け台が形成され、上記ロール紙受け台には、複数の嵌合溝が形成されるとともに、この嵌合溝に嵌め込まれてロール紙受け台をロール紙幅に合わせた位置に仕切る仕切り板が備えられており、上記ロール紙受け台に、このロール紙受け台に収容されるロール紙の軸と平行にガイド軸が取り付けられ、上記仕切り板は、このガイド軸に挿通されて、ガイド軸の軸方向に移動自在に取り付けられ、且つガイド軸を軸心としてガイド軸の垂直方向に回転可能に取り付けられて回転することにより仕切り板が嵌合溝に嵌め込まれ或いは嵌合溝から抜脱され、上記プリンタカバーを閉じた状態でロール紙受け台とプリンタカバーとの間において嵌合溝からの抜脱方向の動きが規制されたことを特徴とする。
【０００９】
この発明によれば、横幅寸法の異なる多種のロール紙の取り付け位置を確定することができる。また、プリンタカバーを閉じたときに仕切り板が嵌合溝から不測に抜けることがない。さらに、ガイド軸に沿って仕切り板が左右に移動するので、移動がスムーズである。
【００１２】
【発明の実施の形態】
以下、本発明の実施の形態について図を参照して説明する。
【００１３】
本実施の形態にかかる小型携帯プリンタは、プリンタ本体１と、このプリンタ本体１を閉蓋するプリンタカバー４とから主要部が構成されている。以下、上記の各構成部分について説明する。
【００１４】
プリンタ本体１は、小型携帯プリンタの主要部をなすものであって、紙送り兼用プラテンローラー９が上部に取り付けられており、また、図示しないモータやバッテリ、制御部等が収容されている。このプリンタ本体１には、ロール紙受け台５が形成されている（図１、図２参照）。
【００１５】
ロール紙受け台５は、ロール紙７を収容するためのものであって、断面が半円形状に形成されロール紙７の外周形状に沿うようになされており、ロール紙７の下部を回動自在に支持するように図られている（図１参照）。このロール紙受け台５には、複数の嵌合溝６がロール紙７の軸方向に直交して形成されている（図３参照）。また、ロール紙受け台５には、ガイド軸３が取り付けられており、このガイド軸３には、嵌合溝６に嵌め込まれてロール紙受け台５をロール紙幅に合わせた位置に仕切る仕切り板２が取り付けられている（図３、図４、図５参照）。
【００１６】
仕切り板２は、嵌合溝６と略同一の厚さの薄板状の部材であって、嵌合溝６に嵌め込まれることにより、この嵌め込まれた嵌合溝６の位置においてロックされる。また、プリンタカバー４を閉めた際における仕切り板２の上端部とプリンタカバー４の内側との間隙距離は、仕切り板２が嵌合溝６から浮き上がることがない距離に設定されており、仕切り板２が嵌合溝６から外れることがなく勝手に移動しないように図られ、嵌合溝６からの抜脱方向の動きが規制されている（図２参照）。さらに、仕切り板２の基端部には、挿通孔２０が形成されており、ガイド軸３に挿通されるように図られている（図８参照）。
【００１７】
ガイド軸３は、ロール紙７の軸と平行にロール紙受け台５に設けられており、嵌合溝６から外した仕切り板２がこのガイド軸３に沿って任意に移動できるようになされている（図３参照）。
【００１８】
プリンタカバー４は、プリンタ本体１を閉蓋するためのものである（図６、図７参照）。このプリンタカバー４には、プリンタカバー４を閉じた状態でプリンタ本体１に取り付けられている紙送り兼用プラテンローラ９と当接する位置に、サーマル印字ヘッド８が取り付けられている（図１、図２参照）。また、プリンタカバー４のロール紙７の上部に対応する部分は、ロール紙７の外周に対応して断面が半円形状になされており、ロール紙受け台５に収容したロール紙７を回動自在に保持するように図られている。
【００１９】
次に、上記の構成の小型携帯プリンタにおいて、紙幅の異なるロール紙７を使用する場合の仕切り板２の位置合わせ方法について図８乃至図１０を参照しながら説明する。
【００２０】
紙幅の広いロール紙７を使用する際、使用者は、ロール紙７の幅に合わせて仕切り板２を対応する嵌合溝６に嵌め込んでロックし、仕切り板２の位置を設定する（図８参照）。
【００２１】
紙幅が狭いロール紙７に変更するときは、使用者は、仕切り板２を指で上方へ引き上げて（図９に示す矢印Ａ）ロックを解除し、ガイド軸３に沿って仕切り板２を移動する（図９に示す矢印Ｂ）。
【００２２】
ロール紙７の幅に合わせて仕切り板２を移動して位置合わせをした後、この位置において仕切り板２を再び嵌合溝６に嵌め込んでロックし、仕切り板２の位置をロール紙７の紙幅に合わせて設定する。
【００２３】
なお、本発明の小型携帯プリンタにおいては、電源ＯＮ時には、初期化処理は行われずに待機となり、印刷時にサーマル印字ヘッド８内のデータを一旦消去してから必要なデータが入力され、印字操作が行われる。
【００２４】
【発明の効果】
以上に説明したとおり、本発明の小型携帯プリンタのプリンタ本体には、ロール紙を収容するロール紙受け台を形成し、ロール紙受け台には、複数の嵌合溝を形成するとともに、この嵌合溝に嵌め込まれてロール紙受け台をロール紙幅に合わせた位置に仕切る仕切り板を備え、仕切り板は、プリンタカバーを閉じた状態でロール紙受け台とプリンタカバーとの間において嵌合溝からの抜脱方向の動きが規制されているので、横幅寸法の異なる多種のロール紙をプリンタ内のあらかじめ設定した位置に取り付けることができ、取り付け位置を確定することができる。したがって、印字位置のずれ対策や、印字中の蛇行印字対策が可能となる。また、プリンタカバーを閉じたときに仕切り板が嵌合溝から不測に抜けることがなく、仕切り板が勝手に移動しないので、小型携帯プリンタの携帯使用時において、外部からの振動等によって仕切り板の位置が変動することがない。
【００２５】
また、上記の構成において、ロール紙受け台に、このロール紙受け台に収容されるロール紙の軸と平行にガイド軸を取り付け、仕切り板をこのガイド軸に挿通して、ガイド軸の軸方向に移動自在に取り付けた場合は、仕切り板がロール紙受け台から外れることがなく、仕切り板を紛失することもない。また、ガイド軸に沿って仕切り板が左右に移動するので、移動がスムーズである。したがって、小型携帯プリンタの携帯使用時における屋外での用紙交換時に、部品紛失の危険性を回避することができるとともに、ロール紙の種類を変更する場合における操作性の向上を図ることができる。
【図面の簡単な説明】
【図１】本発明の実施の形態においてプリンタカバーを開けてロール紙を入れる状態を示す図である。
【図２】プリンタカバーを閉めた状態で仕切り板とプリンタカバーの位置関係を示す図である。
【図３】小型携帯プリンタのロール紙受け台の嵌合溝と仕切り板の関係を示す平面図である。
【図４】ロール紙受け台の嵌合溝に仕切り板を嵌めた状態を示す図である。
【図５】ロール紙受け台の嵌合溝から仕切り板を抜いた状態を示す図である。
【図６】プリンタカバーを閉めた状態の小型携帯プリンタの外観図である。
【図７】プリンタカバーを開けた状態の小型携帯プリンタの外観図である。
【図８】仕切り板の移動と位置設定を説明する図である。
【図９】仕切り板の移動と位置設定を説明する図である。
【図１０】仕切り板の移動と位置設定を説明する図である。
【符号の説明】
１    プリンタ本体
２    仕切り板
３    ガイド軸
４    プリンタカバー
５    ロール紙受け台
６    嵌合溝
７    ロール紙
８    サーマル印字ヘッド
９    紙送り兼用プラテンローラー
【図１】
0004518690.tif 000002
【図２】
0004518690.tif 000003
【図３】
0004518690.tif 000004
【図４】
0004518690.tif 000005
【図５】
0004518690.tif 000006
【図６】
0004518690.tif 000007
【図７】
0004518690.tif 000008
【図８】
0004518690.tif 000009
【図９】
0004518690.tif 000010
【図１０】
0004518690.tif 000011